(57)【特許請求の範囲】
【請求項１】
基端側が相互に回転自在に結合され中間部の把持部の把持操作で先端側が挟持動作を行う樹脂製の挟持アームと、
前記挟持アームの先端側に対向配置され前記挟持動作で毛髪を加温しながら矯正面により挟持矯正するための矯正体とを備えたヘアーアイロンにおいて、
前記挟持アームに、前記矯正体の少なくとも一方を他方側に対し進退自在となるように可動支持し、
前記挟持アームに、前記矯正体を付勢して矯正体相互による挟持状態を弾性的に調節する付勢手段を設け、
前記挟持アームの先端側から前記把持部に渡って長手方向が沿うように芯材を内装し、
前記芯材は、前記挟持アームの回転方向に面が沿った長板状のベース部とこのベース部から前記矯正体の背後方向に突出形成された縦壁部とからなり、
前記芯材の縦壁部に、前記付勢手段の背部に対向して該付勢手段を支持可能な受け部を部分的に設け、
前記芯材は、前記挟持アームよりも高い温度まで硬度を保ち前記挟持アームの熱変形を規制することを特徴とするヘアーアイロン。
【請求項２】
請求項１記載のヘアーアイロンであって、
前記芯材に、前記矯正体を係合させて前記挟持アームに対する突出方向への移動を規制するストッパ部を設けたことを特徴とするヘアーアイロン。
【請求項３】
請求項１又は２に記載のヘアーアイロンであって、
前記挟持アームは、分割部分を締結具により相互に結合する合わせ構造であり、
前記芯材の長手方向一端に、前記一方の分割部分に予め結合する仮止め部を設け、
前記芯材の所定箇所に、前記分割部分相互の締結と共に共締めする共締め部を設けたことを特徴とするヘアーアイロン。
【発明の詳細な説明】
【０００１】
【発明の属する技術分野】
本発明は、毛髪にストレートパーマ又はパーマネントウェーブをかけるため等に供するヘアーアイロンに関する。
【０００２】
【従来の技術】
従来のヘアーアイロンとしては、例えば図１０に示すようなものがある（特開２００１−１３７０３８参照）。図１０（ａ）は全体図、同図（ｂ）は要部断面図を示している。
【０００３】
この図１０のように、従来のヘアーアイロン２０１は、アイロン本体２０３に電源コード２０５が接続され、この電源コード２０５の中間部に温度制御装置２０７が接続され、端部に電源プラグ２０９が取り付けられたものである。
【０００４】
前記アイロン本体２０３は、一対の樹脂製の挟持アーム２１１，２１３を備えている。この挟持アーム２１１，２１３は基端側２１５，２１７が相互に回転自在に結合され、先端側２１９，２２１に矯正体２２３，２２５が対向配置されている。
【０００５】
前記挟持アーム２１１，２１３の中間部は把持部２２４，２２６として構成され、該把持部２２４，２２６の先端側に前記矯正体２２３，２２５後方に位置する力点部２２７，２２９が構成されている。
【０００６】
そして、電源プラグ２０９をコンセントに差し込み、温度制御装置２０７によって矯正体２２３，２２５を発熱させ、把持部２２４，２２６を把持すると共に力点部２２７，２２９に親指及び人差し指を当てて力を加えると、先端側２１９，２２１の矯正体２２３，２２５が挟持動作を行う。この挟持動作により毛髪を挟みつつ滑らせ、矯正体２２３，２２５の発熱による加温作用を加えることにより毛髪を挟持矯正することができる。
【０００７】
従って、このようなヘアーアイロンを用いることによって生まれながらの癖毛を伸ばしたり人工的なパーマネントウェーブを直したりすることができる。
【０００８】
【発明が解決しようとする課題】
ところで、上記ヘアーアイロン２０１のアイロン本体２０３は、一定時間把持して作業を行うため、できるだけ軽量な構造となっている。すなわち前記のように、挟持アーム２１１，２１３は樹脂製であり、しかも内部が中空となっている。従って、このようなアイロン本体２０３によって一定時間の作業及び微細な癖毛伸ばし作業を持続して行うことができる。
【０００９】
しかしながら、前記矯正体２２３，２２５の発熱によって、特に矯正体２２３，２２５が存在する先端側２１９，２２１の硬度が温度上昇と共に低下し、力点部２２７，２２９に力を加えて毛髪を挟持するときに先端側２１９，２２１が容易に変形する虞がある。このため、力点部２２７，２２９から先端側２１９，２２１へ力が円滑に伝達されず、矯正体１２３，１２５相互による毛髪の挟持作用に支障を来し、癖毛伸ばしなどを円滑に行うことができないという問題があった。
【００１０】
このような問題に対し、挟持アーム２１１，２１３の肉厚を厚くして熱容量を増大することにより、先端側２１９，２２１の熱による容易な変形をある程度抑制することはできる。しかしながら、挟持アーム２１１，２１３の肉厚を増大すると、全体的に大型になると共に重量も増大するため、アイロン本体２０３を把持して自在な作業により微細な癖毛伸ばしを一定時間続けて行うことに相当の困難を伴う恐れがある。
【００１１】
従って、温度上昇時でも力点部２２７，２２９から先端側２１９，２２１へ力を円滑に伝達することと、アイロン本体２０３全体の軽量化との両立が困難な課題となっていた。
【００１２】
本発明は、温度上昇に係わらず力の円滑な伝達とアイロン本体全体の軽量化との両立を図ることのできるヘアーアイロンの提供を課題とする。
【００１３】
【課題を解決するための手段】
請求項１の発明は、基端側が相互に回転自在に結合され中間部の把持部の把持操作で先端側が挟持動作を行う樹脂製の挟持アームと、前記挟持アームの先端側に対向配置され前記挟持動作で毛髪を加温しながら矯正面により挟持矯正するための矯正体とを備えたヘアーアイロンにおいて、前記挟持アームに、前記矯正体の少なくとも一方を他方側に対し進退自在となるように可動支持し、前記挟持アームに、前記矯正体を付勢して矯正体相互による挟持状態を弾性的に調節する付勢手段を設け、前記挟持アームの先端側から前記把持部に渡って長手方向が沿うように芯材を内装し、前記芯材は、前記挟持アームの回転方向に面が沿った長板状のベース部とこのベース部から前記矯正体の背後方向に突出形成された縦壁部とからなり、前記芯材の縦壁部に、前記付勢手段の背部に対向して該付勢手段を支持可能な受け部を部分的に設け、前記芯材は、前記挟持アームよりも高い温度まで硬度を保ち前記挟持アームの熱変形を規制することを特徴とする。
【００１５】
請求項２の発明は、請求項１記載のヘアーアイロンであって、前記挟持アームに、前記矯正体の少なくとも一方を他方側に対し進退自在となるように可動支持し、前記挟持アームに、前記矯正体を付勢して矯正体相互による挟持状態を弾性的に調節する付勢手段を設け、前記芯材に、前記矯正体を係合させて前記挟持アームに対する突出方向への移動を規制するストッパ部を設けたことを特徴とする。
【００１６】
請求項３の発明は、請求項１又は２に記載のヘアーアイロンであって、前記挟持アームは、分割部分を締結具により相互に結合する合わせ構造であり、前記芯材の長手方向一端に、前記一方の分割部分に予め結合する仮止め部を設け、前記芯材の所定箇所に、前記分割部分相互の締結と共に共締めする共締め部を設けたことを特徴とする。
【００１７】
【発明の効果】
請求項１の発明では、挟持アームの中間部の把持部を把持して操作すると、基端側が相互に回転し、先端側が挟持動作を行う。この挟持動作によって挟持アームの先端側に対向配置された矯正体により毛髪を挟持矯正することができる。
【００１８】
そして、前記挟持アームの先端側から前記把持部にわたって長手方向が沿うように芯材を内装し、該芯材は前記挟持アームよりも高い温度まで硬度を保ち、前記矯正体の発熱時に挟持アームの先端側の熱による容易な変形を規制することができる。従って、挟持アームの把持部を把持して該挟持アームの先端側から矯正体に力を円滑に伝達することができ、毛髪を確実に挟持矯正することができる。さらに、前記挟持アームに、前記矯正体の少なくとも一方を他方側に対し進退自在となるように可動支持し、前記挟持アームに、前記矯正体を付勢して矯正体相互による挟持状態を弾性的に調節する付勢手段を設けたため、矯正体相互によって毛髪をより確実に挟持することができる。しかも、前記芯材に、前記付勢手段の背部に対向して該付勢手段を支持可能な受け部を部分的に設けたため、矯正体による挟持反力を付勢手段を介して受け部により受けることができ、矯正体相互により毛髪をより確実に挟持矯正することができる。また、前記受け部は部分的に設けられているため、その形状が挟持アーム側の湾曲形状等に影響を受けにくく、受け部を付勢手段の背部に容易に配置することができる。
【００１９】
従って、挟持アームを薄肉にして熱容量を小さくしても毛髪の挟持矯正を確実に行わせることができ、全体的に軽量化を図ることにより、挟持アームを把持して自在な作業により微細な癖毛伸ばしを一定時間続けて行うことが容易となる。
【００２３】
請求項２の発明では、請求項１の発明の効果に加え、前記挟持アームに、前記矯正体の少なくとも一方を他方側に対し進退自在となるように可動支持し、前記挟持アームに、前記矯正体を付勢して矯正体相互による挟持状態を弾性的に調節する付勢手段を設けたため、対向配置された矯正体によって毛髪を的確に挟持矯正することができる。
【００２４】
しかも、前記挟持アームに対する前記矯正体の突出方向への移動をストッパ部に係合させて規制することができる。従って、挟持アームに対する矯正体のがたつきを規制して、矯正体相互による毛髪の挟持矯正をより的確に行うことができる。
【００２５】
請求項３の発明では、請求項１又は２の発明の効果に加え、前記挟持アームは分割部分を締結具により相互に結合する合わせ構造であり、前記芯材を長手方向一端に設けた仮止め部によって前記一方の分割部分に予め結合することができる。従って、分割部分相互を合わせて締結具により相互に結合する際に、芯材を個別に取り扱う必要がなく、分割部分相互の締結と共に共締め部によって芯材の所定箇所を挟持アームに共締めによって結合することができる。このため、分割部分相互の結合に際して、芯材を個別に扱う必要がなく、挟持アームの組み立てを容易に行うことができる。
【００２６】
【発明の実施の形態】
図１〜図５は本発明の一実施形態に係るヘアーアイロンを示し、図１は一部を省略した全体斜視図、図２は分割部分を外した状態で一部を断面にした平面図、図３は側面図、図４は平面図、図５は挟持アームを開いた状態の底面図である。
【００２７】
これら図１〜図５のように、ヘアーアイロン１は、電源コード３が接続されたアイロン本体５を備えている。なお電源コード３には、例えば前記図１０と同様に温度制御装置、電源プラグ等が備えられている。
【００２８】
前記アイロン本体５は、一対の挟持アーム７，９と、一対の矯正体１１，１３を備えている。前記挟持アーム７，９は、例えば線膨張係数8.8×１０−５ｃｍ／ｃｍ／℃のシーポリエステル系エンジニアリングプラスチック等の樹脂製であり、基端側１５，１７が回転軸１９によって相互に回転自在に結合されている。各挟持アーム７，９の中間部には、把持部２１，２３が設けられている。この把持部２１，２３は把持しやすいように図２，図４，図５のように比較的太く形成され、基端側１５，１７とほぼ同一の太さとなっている。
【００２９】
前記把持部２１，２３には、その先端側に傾斜面で形成された力点部２５，２７が設けられている。この力点部２５，２７は、把持部２１，２３を把持したとき親指や人差し指を当てて力を加えるようにするものである。前記力点部２５，２７は、図３の側面から見ると前記把持部２１，２３全体よりも若干肥大して形成され、親指や人差し指を当てやすいようになっている。
【００３０】
前記挟持アーム７，９の先端側２９，３１は、図２，図４，図５のように、把持部２１，２３よりも相互の合わせ方向へ細く形成されている。また前記先端側２９，３１は、図３のように把持部２１，２３よりも細く形成され、把持部２１，２３に対し一側へ位置ずれして設定されている。従って、先端側２９，３１の一面３３は、把持部２１，２３の一面３５よりも一側へ突出し、両面３３，３５は傾斜面３７で段差的に連続設定されている。前記先端側２９，３１の他面３９は、前記一面３３に合わせて一側へずれて形成され、前記把持部２１，２３の中央側へ入り込んでいる。
【００３１】
かかる挟持アーム７は、中空状に形成されており、図３のように分割線４１によりそれぞれ分割部分４３ａ，４５ａ、分割部分４３ｂ，４５ｂの合わせ構造となっている。これら分割部分４３ａ，４５ａ、分割部分４３ｂ，４５ｂは、先端側２９，３１、把持部２１，２３、基端側１５，１７において締結具である例えばビス４８，４９，５１によって相互に締結結合されている。前記分割部分４３ａ，４３ｂには、先端側２９，３１において締結用の孔４７が貫通形成されている。
【００３２】
前記中空の把持部２１，２３内には、複数の補強リブ５３が設けられている。前記一方の挟持アーム７には、両アーム７，９の対向側に凸部５５が設けられ、他方の挟持アーム９には前記凸部５５が嵌合する凹部５７が設けられている。前記凸部５５は、前記凹部５７の底面に突き当たってストッパの機能を奏するようになっている。
【００３３】
こうして、前記挟持アーム７は、基端側１５，１７が相互に回転自在に結合され、中間部の把持部２１，２３の操作で先端側２９，３１が挟持動作を行う構成となっている。
【００３４】
前記挟持アーム７，９の先端側２９，３１の断面は、図３のＳＡ−ＳＡ矢視の拡大断面で示す図６のようになっている。また図７は、先端側２９，３１において分割部分４３ａ，４３ｂを取り外し、矯正体１１，１３を断面にして示した要部拡大平面図である。なお、以下の説明では挟持アーム７，９の先端側２９，３１が対称形状となっているため先端側２９を説明し、他方の先端側３１は先端側２９の説明を参照する。
【００３５】
前記先端側２９は、図６，図７のように内部に後述する芯材を収容する平坦な縦壁面５９，６１及び平坦な底壁面６３を備えている。また先端側２９には、前記矯正体１１を他方側に対し進退自在となるように可動支持する矯正体支持穴６５が設けられている。この矯正体支持穴６５に、前記矯正体１１が可動支持されている。
【００３６】
従って、前記矯正体１１，１３は、前記挟持アーム７，９の先端側２９，３１に対向配置され、前記挟持アーム７，９の挟持動作で毛髪を加温しながら挟持矯正する構成となっている。
【００３７】
前記矯正体１１は、熱板６７と、セラミックヒータ６９と、マグネットプレート７１と、第１ばね７３と、第２ばね７５とからなっている。
【００３８】
前記熱板６７は、アルミ等の軽量で熱伝導率の高い材料により対向側から見て矩形板状に形成され、表面がフッ素コーティングされている。前記熱板６７の背後には、収容部７７が一体に設けられ、前記矯正体支持穴６５に対し他方側である矯正体１３に対し進退自在に支持されている。このような進退自在な支持は、矯正体１３においても同様である。
【００３９】
前記収容部７７の上下壁には、係合片部７９，８１が設けられ、前記熱板６７の一定以上の突出移動を規制するようになっている。前記セラミックヒータ６９、マグネットプレート７１、第１ばね７３は、前記収容部７７内に収容されている。
【００４０】
前記セラミックヒータ６９は、矩形板状を呈し、最高温度約１８０°まで発熱し、前記熱板６７に熱伝導を行うもので、前記電源コード３側に電気的に接続されている。
【００４１】
前記マグネットプレート７１は、１５０００ガウスのネオジウム磁石等により矩形板状に形成され、両矯正体１１，１３相互でＳ極が対峙するように配置されている。
【００４２】
前記第１ばね７３は、板ばねで形成され、前記マグネットプレート７１を収容部７７内で熱板６７背面方向に付勢しセラミックヒータ６９を熱板６７の背面に密着させると共に、マグネットプレート７１を安定支持している。
【００４３】
前記第２ばね７５は、前記収容部７７の後端に支持され、この第２ばね７５は、前記矯正体１１，１３を付勢して矯正体１１，１３相互による挟持状態を弾性的に調節する付勢手段を構成している。前記第２ばね７５は、板ばねで形成され、両端部７５ａ，７５ｂが傾斜設定され、端縁が前記分割部分４３ａ側の突起部に図７左右方向（長手方向）で係合している。
【００４４】
前記先端側２９，３１内にはさらに、芯材８３，８５が収容されている。この芯材８３，８５は、対称形状に形成されており、芯材８３について説明し、芯材８５については芯材８３を参照しその説明を省略する。
【００４５】
前記芯材８３は、前記挟持アーム７の先端側２９から少なくとも前記把持部２１に渡って長手方向が沿うように内装されている。但し、芯材８３を挟持アーム７の先端側２９から基端側１５全体にわたって内装する構成にすることも可能である。
【００４６】
前記芯材８３は、前記挟持アーム７よりも高い温度まで硬度を保ち、前記挟持アーム７の熱変形を規制するものである。従って、本実施形態において、芯材８３はステンレスで形成され、挟持アーム７の樹脂材よりも線膨張係数の小さな材料で形成されている。但し、芯材８３は、挟持アーム７よりも線膨張係数が小さければよく、チタン、セラミック、超エンプラ等によって形成することもできる。
【００４７】
前記芯材を図８，図９を含めてさらに説明する。図８は挟持アーム７，９に芯材８３，８５を配置した状態の分割部分４５ａ，４５ｂ側の平面図、図９は芯材８３を示し、（ａ）は平面図、（ｂ）は底面図、（ｃ）は一方の側面図、（ｄ）は他方の側面図、（ｅ）は（ａ）の左側から見た一方の端面図、（ｆ）は同右側から見た端面図である。
【００４８】
前記芯材８３は、長板状のベース部８７の両端に共締め部８９，９１が一体に設けられている。この共締め部８９，９１は、分割部分４３ａ，４５ａ、分割部分４３ｂ，４５ｂの合わせ締結と共に共締めするものである。前記共締め部８９には、締結具であるビスを挿通させるための孔８９ａが設けられ、前記共締め部９１には同様に孔９１ａが設けられている。前記共締め部９１に連続してその端部には仮止め部９３が設けられている。この仮止め部９３は、芯材８３の長手方向一端に設けられ、前記分割部分４５ａに予め結合するためのものである。この仮止め部９３は、分割部分４５ａ側に突出した位置決めピン９４に嵌合する位置決め穴９３ａが設けられている。また仮止め部９３には、仮止め用の締結具であるビスを挿通させるための孔９３ｂが設けられている。
【００４９】
前記ベース部８７の一側縁に沿って縦壁部９５が設けられている。縦壁部９５は、矯正体１１のストッパ部を兼ねている。前記ベース部８７の他側縁及び共締め部９１、仮止め部９３の他側縁に沿って、他方の縦壁部９７が設けられている。
【００５０】
前記縦壁部９７には、第１，第２締結壁部９９，１０１がさらに突設されている。これら第１，第２締結壁部９９，１０１は、分割部分４３ａに締結固定されるものである。また第１締結壁部９９は、前記第２ばね７５の両端７５ａ，７５ｂ間に位置している。すなわち第１締結壁部９９は、付勢手段である第２ばね７５の背部に対向して該第２ばね７５を支持可能な受け部を構成している。
【００５１】
前記第１締結壁部９９の図９左右方向における長さは、図７の状態において第１締結壁部９９の長手方向両端が前記第２ばね７５の両端７５ａ，７５ｂに接触するか、僅かの隙間をもって対向する状態に設定されている。
【００５２】
このような芯材８３は、先端側２９内に図６，図７のように配置され、ベース部８７が底壁面６３上に載置され、縦壁部９５が縦壁面６１に沿って配置され、縦壁部９７及び第１，第２締結部９９が縦壁面５９に沿って配置されている。この状態で第１，第２締結壁部９９，１０１が締結具であるビス１０３によって分割部分４３ａ側に締結固定されている。
【００５３】
前記共締め部８９，９１は、分割部分４３ａ，４５ａ相互の締結と共にビス４８，４９によって共締めされている。さらに仮止め部９３においては、位置決め孔９３ａが分割部分４５ａ側の位置決めピン９４に嵌合し、孔９３ｂにおいてビスにより分割部分４５ａ側に結合されている。
【００５４】
すなわち芯材８３の組み付けに際しては、まず分割部分４３ａ，４５ａを締結結合する前に、芯材８３を分割部分４５ａ側に配置し、位置決め孔９３ａを位置決めピン９４に嵌合させ、孔９３ｂにビスを通し分割部分４５ａ側に締結固定する。これによって、芯材８３は分割部分４５ａ側に仮止め結合される。
【００５５】
次に、矯正体１１を組み込むと共に、分割部分４３ａを分割部分４５ａに合わせ、前記ビス４８，４９，５１を締結固定する。これによって、分割部分４３ａ，４５ａ相互が締結結合されると共に、前記のようにビス４８，４９によって芯材８３の共締め部８９，９１が共締めされることになる。従って、芯材８３の組み付けを極めて容易に行うことができる。
【００５６】
前記芯材８３の組み付けに際し、共締め部８９の孔８９ａが分割部分４３ａ，４５ａのねじ穴に対して多少芯ずれしたとしても、仮止め部９３が芯材８３の長手方向一端に形成されているため仮止め部９３を支点にして芯材８３が容易に撓み、ビスを差し込むことによって共締め部８９側の心合わせを容易に行うことができ、ビス４８による共締めを極めて容易に行うことができる。
【００５７】
次に、前記ヘアーアイロン１を用いて癖毛を伸ばしたり人工的なパーマネントウェーブを直す場合について説明する。なお、ヘアーアイロン１によってパーマネントウェーブをかけることも可能であることは勿論である。
【００５８】
まず、前記ヘアーアイロン１の使用時には、まず毛髪に第一剤、すなわちチオグリコール酸やシステイン等のメルカプト化合物（還元剤）を主剤とする水溶液にアンモニア、モノエタノールアミン、トリエタノールアミン等の塩基性物質を加えてｐＨ６〜１０に調整した液剤を塗布する。この塗布により、毛髪中のケラチン蛋白質に含まれているシスチンのジスルフィド結合が還元されてメルカプト基として切断され、その後、毛髪を水洗し、順次ドライヤ等で乾燥させた後、１４０〜１８０℃に加熱したヘアーアイロン１によりこの髪を直毛に整える。
【００５９】
具体的には、挟持アーム７，９の把持部２１，２３を把持し、力点部２５，２７に親指と人差し指を当てるなどして力を加え、矯正体１１，１３の熱板６７間で毛髪を挟み込む。その後、その状態を維持して挟持アーム７，９を毛先へと滑らせる。これにより、セラミックヒータ６９により熱せられた熱板６７間で挟まれた毛髪が加熱されながら伸ばされる。
【００６０】
このとき毛髪はＳ極を対峙させたマグネットプレート７１間を所定の速度で移動するため、フレミングの右手の法則により還元エネルギが発生する。このエネルギは磁極の電子が右回転するマグネットプレート７１のＳ極から発生し、第一液の還元作用を促進させることになる。しかも、毛髪の表層部を形成するキューティクルを閉じる働きもする。キューティクルが閉じると、紫外線が毛髪の内部に入り込もうとするのを遮断し、毛髪が紫外線により損傷するのを防ぐことができる。
【００６１】
またこの還元のエネルギにより、第一液の水のクラスタが小さくなる。このクラスタが小さくなることで、第一液の毛髪への浸透性が高まる。よって、さらに第一液の還元作用が促進される。その結果、毛髪が損傷する恐れを伴う施術時間を短くすることができ、毛髪の傷みも抑制することができる。
【００６２】
なお、その後頭髪に臭素酸ナトリウム、過酸化水素等の酸化剤の水溶液からなる第二液を塗布し、この結果、メルカプト基を酸化して毛髪に新たなジスルフィド結合を生成させ、この直毛状態を固定化することができる。
【００６３】
このような毛髪の挟持矯正に際して、セラミックヒータ６９の熱は、挟持アーム７，９の先端側２９，３１へも伝導され、挟持アーム７，９の先端側２９，３１の硬度が低下し、変形しやすくなる。
【００６４】
従って、芯材８３，８５がなければ、前記熱板６７間での毛髪の挟持作業時に、挟持アーム７，９の先端側２９，３１に加わった反力によって、先端側２９，３１が容易に変形し、熱板６７による毛髪の挟持を均等に行えなくなる恐れがある。これに対して、芯材８３，８５を設けることによって、このような問題を改善することができる。
【００６５】
すなわち芯材８３，８５は、先端側２９，３１から少なくとも把持部２１，２３にわたって内装され、把持部２１，２３側は先端側２９，３１に比較して人手によって把持できる程度の温度状態を維持しており、芯材８３，８５を把持部２１，２３側に強固に支持させることができる。
【００６６】
そしてこのような強固に支持された芯材８３，８５の共締め部９１側が、把持部２１，２３の力点部２５，２７内に位置することにより、力点部２５，２７から芯材８３，８５へ力を的確に伝達することができる。
【００６７】
この芯材８３，８５への的確な力の伝達により、芯材８３，８５により矯正体１１，１３が支持されることになり、先端側２９，３１の容易な変形を防止することができる。従って、熱板６７相互を正確に対向させ、毛髪を挟持させることができ、上記施術を的確に行わせることができる。
【００６８】
また本実施形態では、付勢手段である第２ばね部７５によって矯正体１１，１３を付勢し、矯正体１１，１３相互による挟持状態を弾性的に調節するようにしているため、上記施術をより的確に行わせることができる。
【００６９】
前記矯正体１１，１３の突出方向への移動は、ストッパ部としての縦壁部９５によって規制することができ、矯正体１１，１３のがたつきを抑制することができると共に、第２ばね部７５の付勢動作による矯正体１１，１３の的確な進退動作を長く維持することができると共に、熱板６７の正確な挟持状態を的確に維持することができる。
【００７０】
前記受け部としての第２締結壁部９９は、付勢手段である第２ばね７５の背部に対向して、両端７５ａ，７５ｂを当接させるようにして該第２ばね部７５を受けることができ、第２ばね部７５の反力を熱板６７へ的確に作用させることができる。
【００７１】
従って、第２ばね７５による矯正体１１，１３相互の挟持状態の維持を先端側２９，３１の熱上昇に拘わらず的確に維持することができる。しかも受け部としての第１締結壁部９９は芯材８３，８５に部分的に設けられているため、例えば図８の平面で示すように、挟持アーム７，９が把持部２１，２３から先端側２９，３１側へ細くなるような形態であっても、この形状に影響されることなく形成することができる。前記芯材８３，８５のベース部８７は、先端側２９，３１の平坦な底壁面６３上に配設することができ、把持部２１，２３側までストレートに無理なく配置することができる。
【００７２】
なお、本発明は上記実施形態に限定されるものではない。例えば、矯正体１１，１３の一方又は双方を、先端側２９，３１に対し移動できない固定式にすることも可能である。マグネットプレート７１、第１ばね７３は省略することも可能である。芯材８３，８５の縦壁部９５、第１締結壁部９９等は省略することも可能である。
【００７３】
前記芯材８３，８５は、分割部分４５ａ，４５ｂあるいは分割部分４３ａ，４３ｂのいずれかに２色成形等によって一体的に設けることも可能である。
【図面の簡単な説明】
【図１】本発明の一実施形態に係るヘアーアイロンの斜視図である。
【図２】一実施形態に係り、分割部分を外した状態の平面図である。
【図３】一実施形態に係り、側面図である。
【図４】一実施形態に係る平面図である。
【図５】一実施形態に係り、挟持アームを開いた状態の底面図である。
【図６】一実施形態に係り、図３のＳＡ−ＳＡ矢視拡大断面図である。
【図７】一実施形態に係り、分割部分を外した状態の先端側の要部拡大平面図である。
【図８】一実施形態に係り、分割部分の一方を取り外し芯材を取り付けた状態を示す平面図である。
【図９】芯材を示し、（ａ）は平面図、（ｂ）は底面図、（ｃ）は一方の側面図、（ｄ）は他方の側面図、（ｅ）は一方の端面図、（ｆ）は他方の端面図である。
【図１０】従来例に係り、（ａ）はヘアーアイロンの全体構成図、（ｂ）は内部を示す断面図である。
【符号の説明】
１  ヘアーアイロン
７，９  挟持アーム
１１，１３  矯正体
１５，１７  基端側
２１，２３  把持部
２９，３１  先端側
４３ａ，４３ｂ，４５ａ，４５ｂ  分割部分
４８，４９，５１  ビス（締結具）
７５  第２ばね（付勢手段）
８３，８５  芯材
８９，９１  共締め部
９３  仮止め部
９５  縦壁部（ストッパ部）
９９  第１締結壁部（受け部）
【図１】
0004163426.tif 000002
【図２】
0004163426.tif 000003
【図３】
0004163426.tif 000004
【図４】
0004163426.tif 000005
【図５】
0004163426.tif 000006
【図６】
0004163426.tif 000007
【図７】
0004163426.tif 000008
【図８】
0004163426.tif 000009
【図９】
0004163426.tif 000010
【図１０】
0004163426.tif 000011